(57)【要約】【課題】映像に基づいて作成するレポート作成を簡単にするウェアラブルカメラおよび信号付与方法を提供すること。【解決手段】ウェアラブルカメラは、カメラと、カメラによって撮影された映像の映像データを記憶する記憶部と、センサの信号または映像からイベントを検知すると映像データにブックマーク信号を付与する制御部と、を備える。ブックマーク信号は、端末装置においてイベントが指定された箇所から、映像データが再生されるための信号である。【選択図】図３
2020184678.tif 000002
【特許請求の範囲】
【請求項１】
カメラと、
前記カメラによって撮影された映像の映像データを記憶する記憶部と、
センサの信号または前記映像からイベントを検知すると前記映像データにブックマーク信号を付与する制御部と、
を備え、
前記ブックマーク信号は、端末装置において前記イベントが指定された箇所から、前記映像データが再生されるための信号である、
ウェアラブルカメラ。
【請求項２】
前記制御部は、前記イベントを検知した時刻、場所、および前記イベントの内容を示す種別を前記ブックマーク信号に含める、
請求項１に記載のウェアラブルカメラ。
【請求項３】
前記制御部は、当該ウェアラブルカメラを装着したユーザの行動、前記ユーザの生体情報、または当該ウェアラブルカメラの周囲の音から、前記イベントを検知する、
請求項１または２に記載のウェアラブルカメラ。
【請求項４】
前記制御部は、前記カメラが撮影する映像に顔が含まれる場合、画像上における前記顔の位置を示す位置情報を前記ブックマーク信号に含める、
請求項１から３のいずれか一項に記載のウェアラブルカメラ。
【請求項５】
前記制御部は、前記カメラが撮影する映像に車両のナンバープレートが含まれる場合、画像上における前記ナンバープレートの位置を示す位置情報を前記ブックマーク信号に含める、
請求項１から４のいずれか一項に記載のウェアラブルカメラ。
【請求項６】
カメラによって撮影された映像の映像データを記憶し、
センサの信号または前記映像からイベントを検知すると前記映像データにブックマーク信号を付与し、
前記ブックマーク信号は、端末装置において前記イベントが指定された箇所から、前記映像データが再生されるための信号である、
信号付与方法。
【発明の詳細な説明】
【技術分野】
【０００１】
本開示は、ウェアラブルカメラおよび信号付与方法に関する。
【背景技術】
【０００２】
近年、警察官または警備員等の業務を支援するため、ウェアラブルカメラが導入されている（例えば、特許文献１を参照）。ウェアラブルカメラは、警察官または警備員等の身体または着用した衣服等に装着され、現場等の映像を撮像する。
【０００３】
警察官または警備員等は、例えば、ウェアラブルカメラで撮影（録画）した映像を、警察署またはオフィスに戻って端末装置で再生し、再生した映像を見て事件に関するレポートを作成する場合がある。
【先行技術文献】
【特許文献】
【０００４】
【特許文献１】特開２０１６−１８１７６７号公報
【発明の概要】
【発明が解決しようとする課題】
【０００５】
ウェアラブルカメラが撮影した映像データには、例えば、事件（レポート）と関連しない映像も含まれている場合がある。事件と関連しない映像も含まれている映像を見てレポートを作成すると、レポート作成に時間がかかるという問題がある。
【０００６】
本開示の非限定的な実施例は、レポート作成を簡単にすることができるウェアラブルカメラおよび信号付与方法の提供に資する。
【課題を解決するための手段】
【０００７】
本開示の一態様に係るウェアラブルカメラは、カメラと、前記カメラによって撮影された映像の映像データを記憶する記憶部と、センサの信号または前記映像からイベントを検知すると前記映像データにブックマーク信号を付与する制御部と、を備え、前記ブックマーク信号は、端末装置において前記イベントが指定された箇所から、前記映像データが再生されるための信号である。
【０００８】
本開示の一態様に係る信号付与方法は、カメラによって撮影された映像の映像データを記憶し、センサの信号または前記映像からイベントを検知すると前記映像データにブックマーク信号を付与し、前記ブックマーク信号は、端末装置において前記イベントが指定された箇所から、前記映像データが再生されるための信号である。
【０００９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１０】
本開示の一実施例によれば、レポート作成を簡単にすることができる。
【００１１】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】第１の実施の形態に係るウェアラブルカメラシステムの構成例を示した図
【図２】ウェアラブルカメラの映像データに付与されるブックマークの一例を説明する図
【図３】ブックマークの付与の一例を説明する図
【図４】端末装置の再生画面例を示した図
【図５】ブックマークの付与の一例を説明する図
【図６】ブックマークの付与の一例を説明する図
【図７】ブックマークの付与の一例を説明する図
【図８】ブックマークの付与の一例を説明する図
【図９】顔検知およびナンバープレート検知のブックマークの一例を示す図
【図１０】端末装置の再生画面例を示した図
【図１１】ウェアラブルカメラおよび生体センサを装着した警察官の上半身の一例を示した図
【図１２】ウェアラブルカメラの外観例を示した図
【図１３】ウェアラブルカメラのブロック構成例を示した図
【図１４】サーバのブロック構成例を示した図
【図１５】端末装置のブロック構成例を示した図
【図１６】ウェアラブルカメラの動作例を示したフローチャート
【図１７】端末装置のぼかし処理の動作例を示したフローチャート
【図１８】第２の実施の形態に係るウェアラブルカメラの動作例を示したフローチャート
【発明を実施するための形態】
【００１３】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために、提供されるのであって、これらにより特許請求の範囲に記載の主題を限定することは意図されていない。
【００１５】
（第１の実施の形態）
図１は、第１の実施の形態に係るウェアラブルカメラシステムの構成例を示した図である。図１に示すように、ウェアラブルカメラシステムは、ウェアラブルカメラ１と、車載システム２と、サーバ３と、端末装置４と、を有する。
【００１６】
車載システム２、サーバ３、および端末装置４は、ネットワーク５を介して接続される。ウェアラブルカメラ１は、車載システム２およびネットワーク５を介して、サーバ３および端末装置４と接続される。ネットワーク５は、例えば、携帯電話等の無線通信ネットワークおよびインターネット等のネットワークを含んでもよい。
【００１７】
ウェアラブルカメラ１は、例えば、警察官に装着または所持される（例えば、図１１を参照）。ウェアラブルカメラ１は、例えば、Ｗｉ−Ｆｉ（登録商標）またはブルートゥース（登録商標）等の近距離無線通信によって、車載システム２と通信する。
【００１８】
車載システム２は、例えば、警察車両Ａ１に搭載される。車載システム２は、例えば、車載カメラ（図示せず）、パーソナルコンピュータ等の制御装置（図示せず）、および通信装置（図示せず）等を有している。
【００１９】
車載システム２は、例えば、ウェアラブルカメラ１から、ウェアラブルカメラ１が撮影した映像データを受信する。車載システム２は、ウェアラブルカメラ１から受信した映像データを、ネットワーク５を介して、サーバ３に送信する。また、車載システム２は、車載カメラが撮影した映像データを、ネットワーク５を介して、サーバ３に送信する。
【００２０】
サーバ３は、ウェアラブルカメラ１が撮影した映像データおよび車載システム２の車載カメラが撮影した映像データを記憶する。また、サーバ３は、端末装置４によって作成されたレポート等を記憶する。
【００２１】
端末装置４は、例えば、警察署Ａ２において、警察官によって使用される。端末装置４は、警察官の操作に応じて、サーバ３にアクセスし、サーバ３に記憶されている映像データを表示装置に表示する。また、端末装置４は、警察官の操作に応じて、例えば、事件等に関するレポートを作成する。端末装置４は、作成したレポートを、ネットワーク５を介して、サーバ３に送信する。
【００２２】
なお、ウェアラブルカメラ１は、車載システム２およびネットワーク５を介して、サーバ３および端末装置４と接続されるとしたが、これに限られない。ウェアラブルカメラ１は、車載システム２を介さず、ネットワーク５を介して、サーバ３および端末装置４と接続されてもよい。
【００２３】
図２は、ウェアラブルカメラ１の映像データに付与されるブックマークの一例を説明する図である。ウェアラブルカメラ１は、所定のイベントを検知する。例えば、ウェアラブルカメラ１は、図２の右欄に示すイベントを検知する。ウェアラブルカメラ１は、図２の右欄に示すイベントを検知すると、撮影する映像データに、検知したイベント内容を含むブックマーク信号（以下、ブックマークと称することがある）を付与する（例えば、図３を参照）。
【００２４】
例えば、ウェアラブルカメラ１は、後述するジャイロセンサおよび加速度センサによって、ウェアラブルカメラ１を装着した警察官のダッシュ、転倒、または容疑者との格闘を検知する。ウェアラブルカメラ１は、警察官のダッシュ、転倒、または容疑者との格闘を検知すると、警察官がダッシュ、転倒、または容疑者との格闘をしたことを示すブックマークを映像データに付与する。
【００２５】
ウェアラブルカメラ１は、後述する生体センサによって、ウェアラブルカメラ１を装着した警察官の興奮状態を検知する。ウェアラブルカメラ１は、警察官の興奮状態を検知すると、警察官が興奮状態になったことを示すブックマークを映像データに付与する。
【００２６】
ウェアラブルカメラ１は、撮影する映像データに所定の画像が含まれていると、映像データに所定の画像が含まれていることを検知する。ウェアラブルカメラ１は、映像データに所定の画像が含まれていることを検知すると、所定の画像が含まれていることを示すブックマークを映像データに付与する。検知する所定の画像には、例えば、図２の画像検知に示すように、人物、顔、車両、ナンバープレート、刃物・拳銃、人物の異常行動、群集、色、人の服の色、および車両の色等がある。色は、人の服および車両の色以外の色であって、例えば、建造物の色などであってもよい。
【００２７】
ウェアラブルカメラ１は、後述するマイクによって集音された音に、会話または特定の言葉が含まれていると、集音された音に会話または特定の言葉が含まれていることを検知する。ウェアラブルカメラ１は、集音された音に会話または特定の言葉が含まれていることを検知すると、会話または特定の言葉が含まれていることを示すブックマークを映像データに付与する。
【００２８】
ウェアラブルカメラ１は、後述するマイクによって集音された音に、銃声または爆発音が含まれていると、集音された音に銃声または爆発音が含まれていることを検知する。ウェアラブルカメラ１は、集音された音に銃声または爆発音が含まれていることを検知すると、銃声または爆発音が含まれていることを示すブックマークを映像データに付与する。
【００２９】
なお、ウェアラブルカメラ１が検知するイベントは、例えば、図２の左欄に示すように、警察官行動検知、生体検知、画像検知、音声検知、および特殊な音検知に分類されてもよい。
【００３０】
また、映像データに付与されるブックマークは、属性情報、タグ、またはメタデータと称されてもよい。
【００３１】
また、イベントは、事件に関連するイベントと捉えてもよい。例えば、警察官は、容疑者が突然走り出したとき、容疑者を追いかけるため走り出す。従って、図２の「ダッシュ検知」は、事件に関連するイベントと言える。
【００３２】
図３は、ブックマークの付与の一例を説明する図である。図３には、ウェアラブルカメラ１が撮影した映像データの一部フレームが示してある。図３の横軸は、時間を示している。
【００３３】
時刻ｔ１において、ウェアラブルカメラ１は、撮影する映像データから人物を検知したとする。この場合、映像データには、時刻ｔ１と、人物を検知したことを示すイベントとを含むブックマークが付与される。
【００３４】
時刻ｔ２において、ウェアラブルカメラ１は、後述する加速度センサおよびジャイロセンサから、ウェアラブルカメラ１を装着した警察官のダッシュを検知したとする。この場合、映像データには、時刻ｔ２と、ダッシュを検知したことを示すイベントとを含むブックマークが付与される。
【００３５】
時刻ｔ３において、ウェアラブルカメラ１は、映像データの音声から会話を検知したとする。この場合、映像データには、時刻ｔ３と、会話を検知したことを示すイベントとを含むブックマークが付与される。
【００３６】
時刻ｔ４において、ウェアラブルカメラ１は、映像データの音声から銃声を検知したとする。この場合、映像データには、時刻ｔ４と、銃声を検知したことを示すイベントと含むブックマークが付与される。
【００３７】
なお、図５〜図９で説明するが、ブックマークには、時刻と、インベント内容を示す情報との他に、イベントが検知された場所等が含まれてもよい。
【００３８】
図１の動作例について説明する。警察官は、ウェアラブルカメラ１の撮影を開始する。ウェアラブルカメラ１は、センサ、映像、およびマイクの音声から、所定のイベントを検知すると、映像データにブックマークを付与する。例えば、ウェアラブルカメラ１は、図２の右欄に示したイベントを検知すると、図３に示すように、映像データにブックマークを付与する。
【００３９】
警察官は、ウェアラブルカメラ１の撮影を終了する。警察官は、ウェアラブルカメラ１の映像データを、車載システム２およびネットワーク５を介して、サーバ３に送信する。
【００４０】
警察官は、警察署Ａ２に戻り、端末装置４を用いて事件に関するレポートを作成する。例えば、警察官は、端末装置４を用いてサーバ３にアクセスし、レポートを作成する事件の映像データを端末装置４において再生する。警察官は、端末装置４において再生した映像データに基づいて、事件に関するレポートを作成する。
【００４１】
図４は、端末装置４の再生画面例を示した図である。端末装置４は、警察官から、再生する映像データの情報を受付ける。端末装置４は、サーバ３にアクセスし、警察官から受け付けた情報に対応する映像データを受信する。端末装置４は、受信した映像データの映像を、図４の再生画面４ａに示すように、表示装置に表示する。
【００４２】
映像データには、ブックマークが含まれている。端末装置４は、映像データに含まれているブックマークを、図４のブックマーク一覧４ｂに示すように表示する。
【００４３】
ブックマーク一覧４ｂには、ブックマークが映像データに付与された時刻と、その時刻に付与されたブックマークのイベント内容とが対応付けて表示される。端末装置４は、ブックマーク一覧４ｂに表示されたブックマークが選択されると、選択されたブックマークの映像データの映像箇所から、再生を開始する。例えば、端末装置４は、ブックマーク一覧４ｂの「会話検知」が選択されると、「会話検知」のブックマークの箇所または「会話検知」のブックマークに含まれる時刻から映像を再生する。すなわち、端末装置４は、ブックマーク一覧４ｂにおいて選択された箇所から映像を頭出しする。
【００４４】
このように、ウェアラブルカメラ１は、イベントを検知し、撮影する映像データに、イベントを検知した時刻と、検知したイベントの内容とを含むブックマークを付与する。これにより、端末装置４は、ブックマークが付与された箇所またはブックマークに含まれる時刻からの映像データの再生が可能となる。このため、警察官は、事件のレポートの作成が容易となる。
【００４５】
例えば、警察官は、容疑者との会話内容をレポートに記載する場合、図４のブックマーク一覧４ｂの「会話検知」を選択する。端末装置４は、「会話検知」のブックマークが付与された箇所から、映像データを再生する。また、警察官は、銃声が発生した状況をレポートに記載する場合、図４のブックマーク一覧４ｂの「銃声検知」を選択する。端末装置４は、「銃声検知」のブックマークが付与された箇所から、映像データを再生する。これにより、警察官は、事件のレポートしたい映像箇所から再生でき、レポートの作成が容易となる。
【００４６】
なお、ウェアラブルカメラ１は、検知するイベント内容が、警察署Ａ２のサーバ（図示せず）によって、追加、削除、および変更されてもよい。例えば、図２に示した「人の服の色検知」の色は、警察署Ａ２のサーバによって変更されてもよい。図２に示した「特定の言葉検知」の言葉は、警察署Ａ２のサーバによって変更されてもよい。
【００４７】
ウェアラブルカメラ１のブックマーク付与の他の例について説明する。ウェアラブルカメラ１は、映像データに付与するブックマークに、ウェアラブルカメラ１の位置情報を含めてもよい。すなわち、ウェアラブルカメラ１は、撮影場所の情報をブックマークに含めてもよい。ウェアラブルカメラ１は、例えば、後述するＧＰＳ（Global Positioning System）によって、現在の位置情報を取得できる。
【００４８】
図５は、ブックマークの付与の一例を説明する図である。ウェアラブルカメラ１は、後述するマイクによって集音し、所定の音を検知する。ウェアラブルカメラ１は、所定の音を検知すると、映像データにブックマークを付与する。
【００４９】
例えば、ウェアラブルカメラ１は、集音した音から「会話」を検知すると、映像データに図５の矢印Ａ１１ａに示すブックマークを付与する。図５の矢印Ａ１１ａに示すブックマークには、「会話」のイベントを検知した時刻と、場所と、ブックマーク種別とが含まれる。ブックマーク種別は、検知したイベントの内容を示す情報と捉えてもよい。
【００５０】
また、例えば、ウェアラブルカメラ１は、集音した音から「銃声」を検知すると、映像データに図５の矢印Ａ１１ｂに示すブックマークを付与する。図５の矢印Ａ１１ｂに示すブックマークには、「銃声」のイベントを検知した時刻と、場所と、ブックマーク種別とが含まれる。
【００５１】
なお、映像データには、複数の会話が含まれる場合がある。ウェアラブルカメラ１は、複数の会話を区別し、各会話に対応するブックマークのブックマーク種別に、識別子を付与してもよい。例えば、映像データに３つの会話が含まれる場合、ウェアラブルカメラ１は、３つの会話に対応する３つのブックマーク各々に含まれるブックマーク種別に、識別子として数字を付与してもよい。例えば、ウェアラブルカメラ１は、３つのブックマークの各々に含まれるブックマーク種別を「Conversation1」、「Conversation2」、および「Conversation3」としてもよい。
【００５２】
図６は、ブックマークの付与の一例を説明する図である。ウェアラブルカメラ１は、後述する加速度センサおよびジャイロセンサによって、ウェアラブルカメラ１を装着している警察官の所定の動作を検知する。ウェアラブルカメラ１は、警察官の所定の動作を検知すると、映像データにブックマークを付与する。
【００５３】
例えば、ウェアラブルカメラ１は、センサの信号から警察官のダッシュを検知すると、映像データに図６の矢印Ａ１２ａに示すブックマークを付与する。図６の矢印Ａ１２ａに示すブックマークには、「ダッシュ」のイベントを検知した時刻と、場所と、ブックマーク種別とが含まれる。
【００５４】
また、例えば、ウェアラブルカメラ１は、センサの信号から警察官の転倒を検知すると、映像データに図６の矢印Ａ１２ｂに示すブックマークを付与する。図６の矢印Ａ１２ｂに示すブックマークには、「転倒」のイベントを検知した時刻と、場所と、ブックマーク種別とが含まれる。
【００５５】
図７は、ブックマークの付与の一例を説明する図である。ウェアラブルカメラ１は、映像データから特定の画像を検知する。例えば、ウェアラブルカメラ１は、画像解析によって、映像データに含まれる人物、顔、車両、ナンバープレート、刃物・拳銃、異常行動、群集、色、人の服の色、および車両の色を検知する。ウェアラブルカメラ１は、映像データから所定の画像を検知すると、映像データにブックマークを付与する。
【００５６】
例えば、ウェアラブルカメラ１は、或る時刻において映像データから人物を検知すると、映像データに図７の矢印Ａ１３ａに示すブックマークを付与する。図７の矢印Ａ１３ａに示すブックマークには、「人物」のイベントを検知した時刻と、場所と、ブックマーク種別とが含まれる。
【００５７】
また、例えば、ウェアラブルカメラ１は、別の時刻において映像データから人物を検知すると、映像データに図７の矢印Ａ１３ｂに示すブックマークを付与する。図７の矢印Ａ１３ｂに示すブックマークには、「人物」のイベントを検知した時刻と、場所と、ブックマーク種別とが含まれる。
【００５８】
なお、映像データには、複数の異なる人物が含まれる場合がある。ウェアラブルカメラ１は、複数の異なる人物を区別し、各人物に対応するブックマークのブックマーク種別に、識別子を付与してもよい。例えば、映像データに３人の人物が含まれる場合、ウェアラブルカメラ１は、３人の人物に対応する３つのブックマーク各々に含まれるブックマーク種別に、識別子として数字を付与してもよい。例えば、ウェアラブルカメラ１は、３つのブックマークの各々に含まれるブックマーク種別を「Person1」、「Person2」、および「Person3」としてもよい。図７に示す人物は、同一人物であるため、矢印Ａ１３ａ，Ａ１３ｂに示すブックマークには、ブックマーク種別として同じ「Person1」が含まれている。
【００５９】
図８は、ブックマークの付与の一例を説明する図である。ウェアラブルカメラ１は、ウェアラブルカメラ１を所持する警察官の特定の言葉に応じて、映像データにブックマークを付与してもよい。
【００６０】
また、ウェアラブルカメラ１は、ウェアラブルカメラ１を所持する警察官の特定の言葉に応じて、録画を開始してもよい。また、ウェアラブルカメラ１は、ウェアラブルカメラ１を所持する警察官の特定の言葉に応じて、録画を停止してもよい。
【００６１】
例えば、ウェアラブルカメラ１は、プリ録画をしてもよい。ウェアラブルカメラ１は、例えば、警察官が「REC start」と発すると、図８の矢印Ａ１４ａに示すプリ録画の映像から、録画を開始する。
【００６２】
また、例えば、ウェアラブルカメラ１は、警察官が「Bookmark」と発すると、映像データに図８の矢印Ａ１４ｂに示すブックマークを付与する。図８の矢印Ａ１４ｂに示すブックマークには、音声「Bookmark」のイベントを検知した時刻と、場所と、ブックマーク種別とが含まれる。
【００６３】
また、例えば、ウェアラブルカメラ１は、警察官が「REC stop」と発すると、図８の矢印Ａ１４ｃに示すように、映像データの録画を停止する。
【００６４】
このように、ウェアラブルカメラ１は、警察官の発する特定の言葉に応じて、ブックマークを映像データに含める。これにより、警察官は、映像データの録画中に、特定の言葉を発することによって、レポートを作成する際に見たい映像データの箇所に、ブックマークを付与できる。
【００６５】
また、ウェアラブルカメラ１は、警察官の発する言葉によって、録画を開始および停止する。これにより、警察官は、ウェアラブルカメラ１のスイッチを操作しなくても、簡単に録画を開始および停止できる。
【００６６】
図９は、顔検知およびナンバープレート検知のブックマークの一例を示す図である。上記では、ブックマークには、時刻と、場所と、ブックマーク種別とが含まれるとしたが、これに限られない。ウェアラブルカメラ１は、顔検知においては、ブックマークに顔の画像上の座標と、顔のスナップショットとを含めてもよい。また、ウェアラブルカメラ１は、ナンバープレート検知においては、ブックマークにナンバープレートの画像上の座標と、ナンバープレートのスナップショットとを含めてもよい。
【００６７】
例えば、図９の矢印Ａ２１ａに示すように、顔検知のブックマークには、時刻と、場所と、ブックマーク種別と、画像上における顔の位置を示す座標と、顔のスナップショットとが含まれてもよい。顔検知のブックマーク種別は、例えば、図７の人物検知のブックマーク種別と同様に、顔を識別する識別子を含んでもよい。例えば、顔検知のブックマーク種別は、「face1」、「face2」、「face3」と示されてもよい。
【００６８】
また、例えば、図９の矢印Ａ２１ｂに示すように、ナンバープレート検知のブックマークには、時刻と、場所と、ブックマーク種別と、画像上におけるナンバープレートの位置を示す座標と、ナンバープレートのスナップショットとが含まれてもよい。ナンバープレート検知のブックマーク種別は、例えば、図７の人物検知のブックマーク種別と同様に、ナンバープレートを識別する識別子を含んでもよい。例えば、ナンバープレート検知のブックマーク種別は、「plate1」、「plate2」、「plate3」と示されてもよい。
【００６９】
ウェアラブルカメラ１が、顔検知のブックマークに顔の座標を含めることにより、端末装置４は、映像データを再生する際、映像データに含まれる顔にぼかしを入れることができる。また、ウェアラブルカメラ１が、ナンバープレート検知のブックマークにナンバープレートの座標を含めることにより、端末装置４は、映像データを再生する際、映像データに含まれるナンバープレートにぼかしを入れることができる。
【００７０】
図１０は、端末装置４の再生画面例を示した図である。図１０の再生画面例は、図４に示した再生画面例に対し、ブックマーク一覧４ｂおよび再生ボタン等の図示を一部省略している。
【００７１】
上記したように、ウェアラブルカメラ１は、顔検知のブックマークに顔の座標を含める。また、ウェアラブルカメラ１は、ナンバープレート検知のブックマークにナンバープレートの座標を含める。これにより、端末装置４は、図１０に示すように、映像データの再生画面上に現れる顔およびナンバープレートにぼかしを入れることができる。
【００７２】
例えば、映像データには、顔検知のブックマークが含まれる。端末装置４は、顔検知のブックマークに含まれる顔の位置を示す座標に基づいて、画面上の顔にぼかしを入れ、表示する。
【００７３】
また、例えば、映像データには、ナンバープレート検知のブックマークが含まれる。端末装置４は、ナンバープレート検知のブックマークに含まれるナンバープレートの位置を示す座標に基づいて、画面上のナンバープレートにぼかしを入れ、表示する。
【００７４】
このように、ウェアラブルカメラ１は、顔検知のブックマークに画像上の顔の座標を含める。ウェアラブルカメラ１は、ナンバープレート検知のブックマークに画像上のナンバープレートの座標を含める。これにより、端末装置４は、映像データを再生する際に、顔およびナンバープレートにぼかしを入れることができ、プライバシーの保護を図ることができる。
【００７５】
なお、図９で説明したように、顔検知のブックマークのブックマーク種別は、顔を識別する識別子を含んでもよい。端末装置４は、ブックマーク種別の識別子に基づいて顔を区別し、ぼかしを入れてもよい。例えば、端末装置４は、端末装置４を操作する警察官の操作に応じて、容疑者または犯人以外の人物の顔にぼかしを入れ、容疑者または犯人の顔にぼかしを入れないようにすることができる。
【００７６】
また、図９で説明したように、ナンバープレート検知のブックマークのブックマーク種別は、ナンバープレートを識別する識別子を含んでもよい。端末装置４は、ブックマーク種別の識別子に基づいてナンバープレートを区別し、ぼかしを入れてもよい。例えば、端末装置４は、端末装置４を操作する警察官の操作に応じて、容疑者または犯人以外の車両のナンバープレートにぼかしを入れ、容疑者または犯人の車両のナンバープレートにぼかしを入れないようにすることができる。
【００７７】
上記では、ブックマーク種別が、顔を識別する識別子を含むとしたがこれに限られない。ウェアラブルカメラ１は、ブックマーク種別とは別に、顔を識別する識別子をブックマークに含めてもよい。この場合、ブックマーク種別は、顔を識別する識別子を含まなくてもよい。
【００７８】
また上記では、ブックマーク種別が、ナンバープレートを識別する識別子を含むとしたがこれに限られない。ウェアラブルカメラ１は、ブックマーク種別とは別に、ナンバープレートを識別する識別子をブックマークに含めてもよい。この場合、ブックマーク種別は、ナンバープレートを識別する識別子を含まなくてもよい。
【００７９】
図５で説明した会話検知のブックマーク種別および図７で説明した人物検知のブックマーク種別も、顔検知のブックマークおよびナンバープレート検知のブックマークと同様に、ブックマーク種別が識別子を含まなくてもよい。会話を識別する識別子および人物を識別する識別子は、ブックマーク種別とは別にブックマークに含まれてもよい。
【００８０】
図１１は、ウェアラブルカメラ１および生体センサ６を装着した警察官の上半身の一例を示した図である。図１１において、図１と同じものには同じ符号が付してある。
【００８１】
ウェアラブルカメラ１は、警察官Ｕ１の前方を撮影するように、警察官Ｕ１の制服の前部に装着または保持される。ウェアラブルカメラ１は、例えば、首から紐で吊り下げた状態で制服の前部に固定されてもよい。ウェアラブルカメラ１は、ウェアラブルカメラ１の筐体の背面に取り付けられた取付具（例えば、取付用クリップ）と制服の前部に取り付けられた被取付具とが係合する事で制服の前部に固定されてもよい。
【００８２】
生体センサ６は、例えば、警察官Ｕ１の手首に装着される。生体センサ６は、警察官Ｕ１の手首から、警察官Ｕ１の心拍数、発汗、および体温等の生体情報を取得する。生体センサ６は、取得した生体情報をウェアラブルカメラ１に送信する。
【００８３】
ウェアラブルカメラ１は、生体センサ６から送信された生体情報を受信する。ウェアラブルカメラ１は、受信した生体情報に基づいて、ウェアラブルカメラ１を装着する警察官が興奮状態にあるか否かを判定する。ウェアラブルカメラ１は、映像データの録画中に、警察官の興奮状態を検知した場合、映像データにブックマークを付与する。
【００８４】
図１２は、ウェアラブルカメラ１の外観例を示した図である。図１２に示すように、ウェアラブルカメラ１の筐体の正面には、スイッチ１１，１２と、カメラレンズ１３と、マイク１４と、が配置されている。ウェアラブルカメラ１の筐体の側面には、スイッチ１５が配置されている。ウェアラブルカメラの筐体の上面には、ＬＥＤ（Light Emitting Diode）１６ａ〜１６ｃが配置されている。
【００８５】
ウェアラブルカメラ１は、スイッチ１１が短押しされることで動画像の撮影（録画）を開始する。また、ウェアラブルカメラ１は、スイッチ１１が長押しされることで動画像の撮影（録画）を停止する。
【００８６】
ウェアラブルカメラ１は、スイッチ１２の押下に応じて、静止画を撮影（録画）する。
【００８７】
カメラレンズ１３は、被写体の光学像を撮像素子の撮像面に結像させる。
【００８８】
マイク１４は、ウェアラブルカメラ１の周囲の音を集音する。
【００８９】
ウェアラブルカメラ１は、スイッチ１５の押下に応じて、外部機器と通信を行う。例えば、ウェアラブルカメラ１は、スイッチ１５の押下に応じて、後述する記憶部に記憶している情報（録画した映像データを含む）を、車載システム２に送信する。
【００９０】
ＬＥＤ１６ａ〜１６ｃは、ウェアラブルカメラ１の状態を示す。例えば、ＬＥＤ１６ａ〜１６ｃは、ウェアラブルカメラ１が録画中であるのか、または録画中でないのかを示す。また、ＬＥＤ１６ａ〜１６ｃは、例えば、ウェアラブルカメラ１が外部機器と通信中であるのか、または通信中でないのかを示す。
【００９１】
図１３は、ウェアラブルカメラ１のブロック構成例を示した図である。図１３に示すように、ウェアラブルカメラ１は、制御部２１と、カメラ２２と、ジャイロセンサ２３と、加速度センサ２４と、スイッチ２５と、マイク２６と、スピーカ２７と、近距離通信部２８と、通信部２９と、ＧＰＳ受信部３０と、記憶部３１と、を有している。
【００９２】
制御部２１は、ウェアラブルカメラ１の全体を制御する。制御部２１は、例えば、ＣＰＵ（Central Processing Unit）またはＤＳＰ（Digital Signal Processor）等のプロセッサによって、その機能が実現されてもよい。
【００９３】
カメラ２２は、撮像素子と、図１２に示したカメラレンズ１３と、を有している。撮像素子は、例えば、ＣＣＤ（Charge Coupled Device）型イメージセンサまたはＣＭＯＳ（Complementary Metal Oxide Semiconductor）型イメージセンサ等である。カメラ２２は、撮像素子から出力される映像信号を、例えば、デジタル信号で制御部２１に出力する。制御部２１は、カメラ２２から出力されるデジタル信号を記憶部３１に記憶する。
【００９４】
ジャイロセンサ２３は、例えば、直交座標系の３軸（ｘ軸、ｙ軸、ｚ軸）回りの角速度を計測する。ジャイロセンサ２３は、計測した角速度を、例えば、デジタル信号で制御部２１に出力する。
【００９５】
加速度センサ２４は、例えば、直交座標系の３軸方向の加速度を計測する。加速度センサ２４は、計測した加速度を、例えば、デジタル信号で制御部２１に出力する。制御部２１は、ジャイロセンサ２３から出力される角速度と、加速度センサ２４から出力される加速度とから、ウェアラブルカメラ１を装着している警察官が歩き出したこと、走り出したこと、転倒したこと、格闘したことなどの動きを検知する。
【００９６】
スイッチ２５は、ユーザの操作を受け付ける入力装置である。スイッチ２５は、図１２に示したスイッチ１１，１２，１５に対応する。スイッチ２５は、ユーザの操作に応じた情報を、例えば、デジタル信号で制御部２１に出力する。
【００９７】
マイク２６は、ウェアラブルカメラ１の周囲の音を集音しまたはウェアラブルカメラ１を装着している警察官の声を集音する。マイク２６は、図１２に示したマイク１４に対応する。マイク２６は、集音した音の信号を、例えば、デジタル信号で制御部２１に出力する。マイク２６は、音を集音するセンサと捉えることができる。
【００９８】
スピーカ２７は、制御部２１から出力される音声信号を音声に変換し、出力する。
【００９９】
近距離通信部２８は、例えば、Ｗｉ−Ｆｉまたはブルートゥースによって、警察車両Ａ１の車載システム２と近距離無線通信を行う。また、近距離通信部２８は、例えば、Ｗｉ−Ｆｉまたはブルートゥース等の近距離無線通信によって、生体センサ６と無線通信を行う。
【０１００】
なお、近距離通信部２８は、例えば、警察官が所持するスマートフォン等の携帯端末を介して、車載システム２と近距離無線通信を行ってもよい。また、近距離通信部２８は、例えば、警察官が所持するスマートフォン等の携帯端末を介して、生体センサ６と近距離無線通信を行ってもよい。
【０１０１】
通信部２９は、ネットワーク５を介して、サーバ３と通信を行う。
【０１０２】
ＧＰＳ受信部３０は、複数のＧＰＳ発信機から送信されるＧＰＳ信号を受信する。ＧＰＳ受信部３０は、受信したＧＰＳ信号に基づいて、ウェアラブルカメラ１の位置を算出する。ＧＰＳ受信部３０は、算出したウェアラブルカメラ１の位置を、制御部２１に出力する。なお、ウェアラブルカメラ１の位置は、ＧＰＳ受信部３０が受信したＧＰＳ信号に基づいて、制御部２１が算出してもよい。
【０１０３】
記憶部３１には、カメラ２２が撮影した画像（動画像または静止画像）が記憶される。記憶部３１に記憶される画像は、例えば、証拠画像として保存され、消去することができない。また、記憶部３１には、プロセッサが実行するプログラムまたはデータが記憶されてもよい。記憶部３１は、例えば、ＲＯＭ（Read Only Memory）、ＲＡＭ（Random Access Memory）、フラッシュメモリ、およびＨＤＤ（Hard Disk Drive）等によって構成されてもよい。映像データが記憶される記憶部と、プログラムまたはデータが記憶される記憶部は、別々の記憶部であってもよい。
【０１０４】
図１４は、サーバ３のブロック構成例を示した図である。図１４に示すように、サーバ３は、ＣＰＵ４１と、ＲＡＭ４２と、ＨＤＤ４３と、通信インターフェース４４と、バス４５と、を有している。
【０１０５】
サーバ３は、ＣＰＵ４１によって装置全体が制御されている。ＣＰＵ４１は、プログラムの実行によって、制御部４１ａとして機能する。ＣＰＵ４１には、バス４５を介して、ＲＡＭ４２、ＨＤＤ４３、および通信インターフェース４４が接続されている。
【０１０６】
ＲＡＭ４２には、ＣＰＵ４１に実行させるＯＳ（Operating System）のプログラムおよびアプリケーションプログラムが一時的に格納される。また、ＲＡＭ４２には、ＣＰＵ４１による処理に必要な各種データが一時的に格納される。
【０１０７】
ＨＤＤ４３には、ＯＳおよびアプリケーションプログラムなどが格納される。また、ＨＤＤ４３には、ユーザが装着するウェアラブルカメラ１および警察車両Ａ１に搭載される車載カメラが撮影した映像の映像データが記憶される。
【０１０８】
通信インターフェース４４は、ネットワーク５を介して、車載システム２および端末装置４と通信を行う。
【０１０９】
図１５は、端末装置４のブロック構成例を示した図である。図１５に示すように、端末装置４は、ＣＰＵ５１と、ＲＡＭ５２と、ＨＤＤ５３と、通信インターフェース５４と、ユーザインターフェース５５と、バス５６と、を有している。
【０１１０】
端末装置４は、ＣＰＵ５１によって装置全体が制御されている。ＣＰＵ５１は、プログラムの実行によって、制御部５１ａとして機能する。ＣＰＵ５１には、バス５６を介して、ＲＡＭ５２、ＨＤＤ５３、通信インターフェース５４、およびユーザインターフェース５５が接続されている。
【０１１１】
ＲＡＭ５２には、ＣＰＵ５１に実行させるＯＳのプログラムおよびアプリケーションプログラムが一時的に格納される。また、ＲＡＭ５２には、ＣＰＵ５１による処理に必要な各種データが一時的に格納される。
【０１１２】
ＨＤＤ５３には、ＯＳおよびアプリケーションプログラムなどが格納される。
【０１１３】
通信インターフェース５４は、ネットワーク５を介して、警察車両Ａ１の車載システム２およびサーバ３と通信を行う。
【０１１４】
ユーザインターフェース５５には、例えば、キーボード装置およびディスプレイ等が接続される。ＣＰＵ５１は、ユーザインターフェース５５を介して、キーボード装置およびディスプレイ等とデータのやり取りを行う。
【０１１５】
図１６は、ウェアラブルカメラ１の動作例を示したフローチャートである。図１６には、録画開始から録画停止までのウェアラブルカメラ１の動作例が示してある。ウェアラブルカメラ１の制御部２１は、一定時間プリ録画する。
【０１１６】
ウェアラブルカメラ１の制御部２１は、ウェアラブルカメラ１を装着した警察官のスイッチ１１の操作に応じて、録画を開始する（ステップＳ１）。ウェアラブルカメラ１の制御部２１は、一定時間遡って録画を開始する。なお、ウェアラブルカメラ１の制御部２１は、ウェアラブルカメラ１を装着した警察官の声に応じて、録画を開始してもよい。
【０１１７】
ウェアラブルカメラ１のマイク２６は、特殊な音を集音する。特殊な音は、例えば、銃声である。ウェアラブルカメラ１の制御部２１は、マイク２６によって、特殊な音が集音されると、映像データにブックマークを付与する（ステップＳ２）。ウェアラブルカメラ１の制御部２１は、ブックマークに特殊な音を検知した時刻、場所、およびブックマーク種別を含める。
【０１１８】
ウェアラブルカメラ１のジャイロセンサ２３および加速度センサ２４は、警察官の行動（動き）を計測する。警察官の行動は、例えば、ダッシュである。ウェアラブルカメラ１の制御部２１は、ジャイロセンサ２３および加速度センサ２４が計測した警察官の行動からダッシュを検知すると、映像データにブックマークを付与する（ステップＳ３）。ウェアラブルカメラ１の制御部２１は、警察官のダッシュを検知した時刻、場所、およびブックマーク種別を含める。
【０１１９】
ここで、ウェアラブルカメラ１の制御部２１は、カメラ２２が撮影する映像データを一定のインターバルで監視し、顔、ナンバープレート、および色を検知してもよい。また、ウェアラブルカメラ１の制御部２１は、マイク２６が集音する音を一定のインターバルで監視し、会話を検知してもよい。
【０１２０】
ウェアラブルカメラ１のマイク２６は、人の会話を集音する。ウェアラブルカメラ１の制御部２１は、マイク２６によって会話が集音されると、映像データにブックマークを付与する（ステップＳ４）。ウェアラブルカメラ１の制御部２１は、ブックマークに会話を検知した時刻、場所、およびブックマーク種別を含める。
【０１２１】
ウェアラブルカメラ１のカメラ２２は、顔およびナンバープレートを撮影する。ウェアラブルカメラ１の制御部２１は、カメラ２２が撮影する映像データから顔およびナンバープレートを検知すると、映像データにブックマークを付与する（ステップＳ５）。ウェアラブルカメラ１の制御部２１は、顔検知のブックマークに顔を検知した時刻、場所、ブックマーク種別、顔を識別する識別子、顔の座標、および顔のスナップショットを含める。また、ウェアラブルカメラ１の制御部２１は、ナンバープレート検知のブックマークにナンバープレートを検知した時刻、場所、ブックマーク種別、ナンバープレートを識別する識別子、ナンバープレートの座標、およびナンバープレートのスナップショットを含める。
【０１２２】
なお、ステップＳ５では、ウェアラブルカメラ１のカメラ２２は、顔およびナンバープレートを撮影したが、いずれか一方を撮影することもある。この場合、ウェアラブルカメラ１の制御部２１は、ウェアラブルカメラ１のカメラ２２が撮影した顔およびナンバープレートのいずれか一方のブックマークを映像データに付与する。
【０１２３】
ウェアラブルカメラ１のカメラ２２は、建造物等を撮影する。ウェアラブルカメラ１の制御部２１は、カメラ２２が撮影する建造物等において所定の色を検知すると、映像データにブックマークを付与する（ステップＳ６）。ウェアラブルカメラ１の制御部２１は、色検知のブックマークに色を検知した時刻、場所、およびブックマーク種別を含める。
【０１２４】
ウェアラブルカメラ１のマイク２６は、人の会話を集音する。ウェアラブルカメラ１の制御部２１は、マイク２６によって会話が集音されると、映像データにブックマークを付与する（ステップＳ７）。ウェアラブルカメラ１の制御部２１は、ブックマークに会話を検知した時刻、場所、およびブックマーク種別を含める。
【０１２５】
ウェアラブルカメラ１の制御部２１は、ステップＳ５と同様に、カメラ２２が撮影する映像データから顔およびナンバープレートを検知すると、映像データにブックマークを付与する（ステップＳ８）。ウェアラブルカメラ１の制御部２１は、映像データから検知した顔およびナンバープレートがステップＳ５と同じ顔およびナンバープレートであれば、ステップＳ５と同じ識別子をブックマークに含める。ウェアラブルカメラ１の制御部２１は、映像データから検知した顔およびナンバープレートがステップＳ５と異なる顔およびナンバープレートであれば、ステップＳ５と異なる識別子をブックマークに含める。
【０１２６】
ウェアラブルカメラ１の制御部２１は、ステップＳ７と同様に、マイク２６が集音する音から会話を検知すると、映像データにブックマークを付与する（ステップＳ９）。ウェアラブルカメラ１の制御部２１は、ブックマークに会話を検知した時刻、場所、およびブックマーク種別を含める。
【０１２７】
ウェアラブルカメラ１の制御部２１は、ウェアラブルカメラ１を装着した警察官のスイッチ１１の操作に応じて、録画を停止する（ステップＳ１０）。なお、ウェアラブルカメラ１の制御部２１は、ウェアラブルカメラ１を装着した警察官の声に応じて、録画を停止してもよい。
【０１２８】
図１７は、端末装置４のぼかし処理の動作例を示したフローチャートである。端末装置４の制御部５１ａは、例えば、レポートを作成する警察官の操作に応じて、対象ビデオ（映像データ）をサーバ３から読み込む（ステップＳ２１）。その際、端末装置４の制御部５１ａは、映像データに付与されているブックマークを読み取る。
【０１２９】
端末装置４の制御部５１ａは、ステップＳ２１にて読み取ったブックマークのうち、顔検知のブックマークおよびナンバープレート検知のブックマークを抽出する（ステップＳ２２）。
【０１３０】
端末装置４の制御部５１ａは、ぼかし処理を開始する（ステップＳ２３）。
【０１３１】
端末装置４の制御部５１ａは、ステップＳ２２にて抽出した顔検知のブックマークおよびナンバープレート検知のブックマークから、顔の座標およびナンバープレートの座標を取得し、取得した座標に基づいて、画像上における顔の位置およびナンバープレートの位置を特定する（ステップＳ２４）。このとき、端末装置４の制御部５１ａは、顔検知のブックマークに含まれる識別子に基づいて、画像に含まれる顔を区別してもよい。端末装置４の制御部５１ａは、ナンバープレート検知のブックマークに含まれる識別子に基づいて、画像に含まれるナンバープレートを区別してもよい。これにより、端末装置４の制御部５１ａは、例えば、容疑者または犯人以外の顔にぼかしを入れることができる。また、端末装置４の制御部５１ａは、例えば、容疑者または犯人以外の車両のナンバープレートにぼかしを入れることができる。
【０１３２】
端末装置４の制御部５１ａは、ステップＳ２４にて特定した顔およびナンバープレートの位置にぼかしを入れる（ステップＳ２５）。
【０１３３】
端末装置４の制御部５１ａは、ステップＳ２２にて抽出した残りの顔検知のブックマークおよびナンバープレート検知のブックマークに基づいて、顔およびナンバープレートのぼかし処理を行う（ステップＳ２６，Ｓ２７，…，Ｓ２８，Ｓ２９）。
【０１３４】
端末装置４の制御部５１ａは、ぼかし処理を終了する（ステップＳ３０）。
【０１３５】
以上説明したように、カメラ２２と、カメラ２２によって撮影された映像の映像データを記憶する記憶部３１と、センサの信号または映像からイベントを検知すると映像データにブックマークを付与する制御部２１と、を備える。センサは、例えば、生体センサ６、ジャイロセンサ２３、加速度センサ２４、およびマイク２６であってもよい。映像データに付与されるブックマークは、端末装置４においてイベントが指定された箇所から、映像データが再生されるための信号である。
【０１３６】
これにより、例えば、端末装置４は、事件に関するレポートを作成する警察官の操作に応じて、レポート作成する映像の映像データをサーバ３から受信する。端末装置４は、サーバ３から受信した映像データに付与されたブックマークから、例えば、図４のブックマーク一覧４ｂに示すように、表示装置にイベントを表示できる。そして、端末装置４は、例えば、図４のブックマーク一覧４ｂに表示したイベントが警察官によって選択されることにより、選択されたイベントから映像データを再生できる。従って、レポートを作成する警察官は、レポート作成に必要な個所（イベント）から映像データを再生でき、レポート作成が容易になる。
【０１３７】
（変形例１）
警察車両Ａ１に搭載される車載カメラも、ウェアラブルカメラ１と同様に、ブックマークを映像データに付与してもよい。車載カメラは、例えば、図１３に示したブロック構成と同様のブロック構成を有してもよい。ただし、車載カメラのブロック構成は、ジャイロセンサ２３および加速度センサ２４を備えなくてもよい。
【０１３８】
（変形例２）
上記では、端末装置４が映像に含まれる顔およびナンバープレートにぼかしを入れるとしたが、これに限られない。サーバ３が映像に含まれる顔およびナンバープレートにぼかしを入れてもよい。サーバ３は、ぼかしを入れた映像データを端末装置４に送信してもよい。
【０１３９】
（変形例３）
上記では、ウェアラブルカメラ１を警察官が所持するとしたがこれに限られない。例えば、ウェアラブルカメラ１は、警備員によって所持されてもよい。
【０１４０】
（変形例４）
端末装置４は、図４のブックマーク一覧４ｂにおいてブックマークが選択された場合、選択されたブックマークに含まれている位置情報（例えば、住所）を表示装置に表示してもよい。これにより、警察官は、映像がどこで撮影されたかをレポートに記載できる。
【０１４１】
（変形例５）
上記では、ウェアラブルカメラ１の制御部２１は、生体センサ６の信号と、ジャイロセンサ２３および加速度センサ２４の信号と、マイク２６の信号と、カメラ２２の映像とからイベントを検知したが、これに限られない。ウェアラブルカメラ１の制御部２１は、生体センサ６の信号と、ジャイロセンサ２３および加速度センサ２４の信号と、マイク２６の信号と、カメラ２２の映像との少なくとも１つから、イベントを検知してもよい。例えば、ウェアラブルカメラ１の制御部２１は、マイク２６の信号（音）と、カメラ２２の映像との２つから、イベントを検知してもよい。
【０１４２】
（第２の実施の形態）
第１の実施の形態では、ウェアラブルカメラ１は、カメラ２２が撮影する映像データを一定のインターバルで監視し、顔、ナンバープレート、または色を検知する。そして、ウェアラブルカメラ１は、顔、ナンバープレート、または色を検知するたびにブックマークを映像データに付与する。
【０１４３】
これに対し、第２の実施の形態では、ウェアラブルカメラ１は、顔、ナンバープレート、または色の検知を開始したときと、顔、ナンバープレート、または色を検知しなくなったときとにおいて、ブックマークを映像データに付与する。すなわち、ウェアラブルカメラ１は、顔、ナンバープレート、または色が映像範囲（撮影範囲）内に含まれたときと、映像範囲内に含まれた顔、ナンバープレート、または色が映像範囲から外れたときとにおいて、映像データにブックマークを付与する。
【０１４４】
また、第１の実施の形態では、ウェアラブルカメラ１は、マイク２６が集音する音を一定のインターバルで監視し、会話を検知する。そして、ウェアラブルカメラ１は、会話を検知するたびにブックマークを映像データに付与する。
【０１４５】
これに対し、第２の実施の形態では、ウェアラブルカメラ１は、会話の検知を開始したときと、会話を検知しなくなったときとにおいて、ブックマークを映像データに付与する。すなわち、ウェアラブルカメラ１は、会話が始まったときと、その会話が終了したときとにおいて、映像データにブックマークを付与する。以下では、第１の実施の形態と異なる部分について説明する。
【０１４６】
図１８は、第２の実施の形態に係るウェアラブルカメラ１の動作例を示したフローチャートである。図１８には、録画開始から録画停止までのウェアラブルカメラ１の動作例が示してある。ウェアラブルカメラ１の制御部２１は、一定時間プリ録画する。
【０１４７】
図１８のステップＳ４１〜Ｓ４３の処理は、図１６に示したステップＳ１〜Ｓ３と同様の処理であり、その説明を省略する。
【０１４８】
ウェアラブルカメラ１の制御部２１は、カメラ２２が撮影する映像データを一定のインターバルで監視し、顔、ナンバープレート、および色を検知してもよい。また、ウェアラブルカメラ１の制御部２１は、マイク２６が集音する音を一定のインターバルで監視し、会話を検知してもよい。
【０１４９】
ウェアラブルカメラ１のマイク２６は、人の会話を集音する。ウェアラブルカメラ１の制御部２１は、マイク２６によって集音された会話の開始を検知し、映像データにブックマークを付与する（ステップＳ４４）。ウェアラブルカメラ１の制御部２１は、ブックマークに会話を検知した時刻、場所、およびブックマーク種別を含める。
【０１５０】
ウェアラブルカメラ１のカメラ２２は、顔およびナンバープレートを撮影する。ウェアラブルカメラ１の制御部２１は、カメラ２２が撮影する映像データから顔およびナンバープレートを検知すると、映像データにブックマークを付与する（ステップＳ４５）。ウェアラブルカメラ１の制御部２１は、顔検知のブックマークに顔を検知した時刻、場所、ブックマーク種別、顔を識別する識別子、顔の座標、および顔のスナップショットを含める。また、ウェアラブルカメラ１の制御部２１は、ナンバープレート検知のブックマークにナンバープレートを検知した時刻、場所、ブックマーク種別、ナンバープレートを識別する識別子、ナンバープレートの座標、およびナンバープレートのスナップショットを含める。
【０１５１】
なお、ウェアラブルカメラ１の制御部２１は、ステップＳ４５で検知した顔およびナンバープレートが映像範囲から外れるまで、ステップＳ４５で検知した顔およびナンバープレートにおけるブックマークを映像データに付与しない。一方、ウェアラブルカメラ１の制御部２１は、ステップＳ４５で検知した顔およびナンバープレートと異なる顔およびナンバープレートを検知すると、ステップＳ４５で検知した顔およびナンバープレートと異なるブックマークを映像データに付与する。
【０１５２】
ウェアラブルカメラ１のカメラ２２は、建造物等を撮影する。ウェアラブルカメラ１の制御部２１は、カメラ２２が撮影する建造物等において所定の色を検知すると、映像データにブックマークを付与する（ステップＳ４６）。ウェアラブルカメラ１の制御部２１は、色検知のブックマークに色を検知した時刻、場所、およびブックマーク種別を含める。
【０１５３】
なお、ウェアラブルカメラ１の制御部２１は、ステップＳ４６で検知した色が映像範囲から外れるまで、ステップＳ４６で検知した色におけるブックマークを映像データに付与しない。一方、ウェアラブルカメラ１の制御部２１は、ステップＳ４６で検知した建造物等の色と異なる建造物の色を検知すると、ステップＳ４６で検知した色と異なるブックマークを映像データに付与する。
【０１５４】
ウェアラブルカメラ１の制御部２１は、ステップＳ４４にて検知した会話の終了を検知する（ステップＳ４７）。ウェアラブルカメラ１の制御部２１は、ブックマークに会話の終了を検知した時刻、場所、およびブックマーク種別を含める。
【０１５５】
ウェアラブルカメラ１の制御部２１は、ステップＳ４５にて検知した顔およびナンバープレートの撮影の終了を検知する（ステップＳ４８）。ウェアラブルカメラ１の制御部２１は、ブックマークに顔およびナンバープレートの検知を終了した時刻、場所、およびブックマーク種別を含める。
【０１５６】
ウェアラブルカメラ１の制御部２１は、ステップＳ４６にて検知した色の撮影の終了を検知する（ステップＳ４９）。ウェアラブルカメラ１の制御部２１は、ブックマークに色の検知を終了した時刻、場所、およびブックマーク種別を含める。
【０１５７】
図１８のステップＳ５０の処理は、図１６に示したステップＳ１０と同様の処理であり、その説明を省略する。
【０１５８】
以上説明したように、ウェアラブルカメラ１の制御部２１は、顔、ナンバープレート、または色が映像範囲内に含まれたときと、映像範囲内に含まれた顔、ナンバープレート、または色が映像範囲から外れたときとにおいて、映像データにブックマークを付与する。また、ウェアラブルカメラ１は、会話が始まったときと、その会話が終了したときとにおいて、映像データにブックマークを付与する。これにより、ウェアラブルカメラ１の制御部２１は、一定のインターバルでブックマークを映像データに付与せずに済み、処理負荷を低減できる。
【０１５９】
上述の実施の形態においては、各構成要素に用いる「・・・部」という表記は、「・・・回路（circuitry）」、「・・・デバイス」、「・・・ユニット」、又は、「・・・モジュール」といった他の表記に置換されてもよい。
【０１６０】
以上、図面を参照しながら実施の形態について説明したが、本開示はかかる例に限定されない。当業者であれば、特許請求の範囲に記載された範疇において、各種の変更例または修正例に想到し得ることは明らかである。そのような変更例または修正例についても、本開示の技術的範囲に属するものと了解される。また、本開示の趣旨を逸脱しない範囲において、実施の形態における各構成要素は任意に組み合わされてよい。
【０１６１】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。
【０１６２】
集積回路化の手法はＬＳＩに限るものではなく、専用回路、汎用プロセッサ又は専用プロセッサで実現してもよい。また、ＬＳＩ製造後に、プログラムすることが可能なＦＰＧＡや、ＬＳＩ内部の回路セルの接続や設定を再構成可能なリコンフィギュラブル・プロセッサを利用してもよい。本開示は、デジタル処理又はアナログ処理として実現されてもよい。
【０１６３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１６４】
本開示は、映像を録画するウェアラブルカメラに有用である。
【符号の説明】
【０１６５】
１  ウェアラブルカメラ
２  車載システム
３  サーバ
４  端末装置
４ａ  再生画面
４ｂ  ブックマーク一覧
５  ネットワーク
６  生体センサ
１１，１２，１５，２５  スイッチ
１３  カメラレンズ
１４，２６  マイク
１６ａ〜１６ｃ  ＬＥＤ
２１，４１ａ，５１ａ  制御部
２２  カメラ
２３  ジャイロセンサ
２４  加速度センサ
２７  スピーカ
２８  近距離通信部
２９  通信部
３０  ＧＰＳ受信部
３１  記憶部
４１，５１  ＣＰＵ
４２，５２  ＲＡＭ
４３，５３  ＨＤＤ
４４，５４  通信インターフェース
４５，５６  バス
５５  ユーザインターフェース
Ａ１  警察車両
Ａ２  警察署
【図１】
2020184678.tif 000003
【図２】
2020184678.tif 000004
【図３】
2020184678.tif 000005
【図４】
2020184678.tif 000006
【図５】
2020184678.tif 000007
【図６】
2020184678.tif 000008
【図７】
2020184678.tif 000009
【図８】
2020184678.tif 000010
【図９】
2020184678.tif 000011
【図１０】
2020184678.tif 000012
【図１１】
2020184678.tif 000013
【図１２】
2020184678.tif 000014
【図１３】
2020184678.tif 000015
【図１４】
2020184678.tif 000016
【図１５】
2020184678.tif 000017
【図１６】
2020184678.tif 000018
【図１７】
2020184678.tif 000019
【図１８】
2020184678.tif 000020